【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
ビデオ情報をコーディングするように構成された装置であって、
参照レイヤピクチャを記憶するように構成されたメモリユニットと、
前記メモリユニットに動作可能に結合されたプロセッサと、
を備え、前記プロセッサは、エンハンスメントレイヤ中の現在のピクチャとは異なる空間解像度を有する多くとも１つの参照レイヤピクチャを使用して前記現在のピクチャを予測することによって、前記参照レイヤピクチャの使用を、前記現在のピクチャとは異なる空間解像度を有する多くとも１つの参照レイヤピクチャに制限するように構成される、装置。
【請求項２】
前記プロセッサが、前記現在のピクチャを予測するために、多くとも１つのリサンプリングプロセスだけが実行されることを許可するようにさらに構成される、請求項１に記載の装置。
【請求項３】
前記プロセッサが、制限を与えるようにさらに構成され、前記プロセッサが、前記制限に準拠するビットストリームをコーディングするようにさらに構成される、請求項１に記載の装置。
【請求項４】
前記プロセッサが、スライスヘッダ中で参照レイヤ識別を示すシンタックス要素をシグナリングするようにさらに構成され、ここにおいて、前記参照レイヤ識別が、前記現在のピクチャを予測するために使用されるべき前記多くとも１つの参照レイヤピクチャを示す、請求項１に記載の装置。
【請求項５】
前記プロセッサが、ピクチャパラメータセット（ＰＰＳ）中で参照レイヤ識別を示すシンタックス要素をシグナリングするようにさらに構成され、ここにおいて、前記参照レイヤ識別が、前記現在のピクチャを予測するために使用されるべき前記参照レイヤピクチャを示す、請求項１に記載の装置。
【請求項６】
前記プロセッサが、前記現在のピクチャの前記参照レイヤピクチャを示すフラグをシグナリングするようにさらに構成される、請求項１に記載の装置。
【請求項７】
前記プロセッサが、直接依存フラグに関連付けられるシンタックス要素に制限を与えるようにさらに構成され、ここにおいて、前記直接依存フラグが、前記参照レイヤに関連付けられるピクチャが前記エンハンスメントレイヤの参照ピクチャであるかどうかを示す、請求項１に記載の装置。
【請求項８】
前記プロセッサが、前記現在のピクチャのレイヤＩＤに最も近いレイヤＩＤを有する前記参照レイヤピクチャのみを用いることによって、前記現在のピクチャを予測するようにさらに構成される、請求項１に記載の装置。
【請求項９】
前記プロセッサが、レイヤ間予測と前記多くとも１つの参照レイヤピクチャとを用いて前記現在のピクチャを符号化することによって、前記現在のピクチャを予測するように構成される、請求項１に記載の装置。
【請求項１０】
前記プロセッサが、レイヤ間予測と前記多くとも１つの参照レイヤピクチャとを用いて前記現在のピクチャを復号することによって、前記現在のピクチャを予測するように構成される、請求項１に記載の装置。
【請求項１１】
デジタルテレビジョン、デジタルダイレクトブロードキャストシステム、ワイヤレスブロードキャストシステム、携帯情報端末（ＰＤＡ）、ラップトップコンピュータ、デスクトップコンピュータ、タブレットコンピュータ、電子ブックリーダ、デジタルカメラ、デジタル記録デバイス、デジタルメディアプレーヤ、ビデオゲームデバイス、ビデオゲームコンソール、セルラー電話、衛星無線電話、スマートフォン、ビデオ遠隔会議デバイス、およびビデオストリーミングデバイスのうちの１つまたは複数からなる群から選択されるデバイスをさらに備える、請求項１に記載の装置。
【請求項１２】
ビデオ情報を復号する方法であって、
多くとも１つの参照レイヤピクチャを使用してエンハンスメントレイヤ中の現在のピクチャを復号することによって、参照レイヤピクチャの使用を、前記現在のピクチャとは異なる空間解像度を有する多くとも１つの参照レイヤピクチャに制限すること
を備える、方法。
【請求項１３】
前記現在のピクチャを予測するために、多くとも１つのリサンプリングプロセスだけが実行されることを許可することをさらに備える、請求項１２に記載の方法。
【請求項１４】
制限を処理することをさらに備え、ここにおいて、前記方法は、前記制限に準拠するビットストリームを復号することをさらに備える、請求項１２に記載の方法。
【請求項１５】
スライスヘッダ中で参照レイヤ識別を示すシンタックス要素を処理することをさらに備え、ここにおいて、前記参照レイヤ識別が、前記現在のピクチャを復号するために使用されるべき前記多くとも１つの参照レイヤピクチャを示す、請求項１２に記載の方法。
【請求項１６】
ピクチャパラメータセット（ＰＰＳ）中で参照レイヤ識別を示すシンタックス要素を処理することをさらに備え、ここにおいて、前記参照レイヤ識別が、前記現在のピクチャを復号するために使用されるべき前記多くとも１つの参照レイヤピクチャを示す、請求項１２に記載の方法。
【請求項１７】
前記現在のピクチャの前記参照レイヤピクチャを示すフラグを処理することをさらに備える、請求項１２に記載の方法。
【請求項１８】
直接依存フラグに関連付けられるシンタックス要素に対する制限を処理することをさらに備え、ここにおいて、前記直接依存フラグが、参照レイヤピクチャが前記エンハンスメントレイヤの参照ピクチャであるかどうかを示す、請求項１２に記載の方法。
【請求項１９】
前記現在のピクチャを復号することは、前記現在のピクチャのレイヤＩＤに最も近いレイヤＩＤを有する前記参照レイヤピクチャのみを用いることを備える、請求項１２に記載の方法。
【請求項２０】
ビデオ情報を符号化する方法であって、
多くとも１つの参照レイヤピクチャを使用してエンハンスメントレイヤ中の現在のピクチャを符号化することによって、参照レイヤピクチャの使用を、前記現在のピクチャとは異なる空間解像度を有する多くとも１つの参照レイヤピクチャに制限すること
を備える、方法。
【請求項２１】
前記現在のピクチャを予測するために、多くとも１つのリサンプリングプロセスだけが実行されることを許可することをさらに備える、請求項２０に記載の方法。
【請求項２２】
ビットストリーム適合制限を与えることをさらに備え、ここにおいて、前記方法は、前記ビットストリーム適合制限に準拠するビットストリームを符号化することをさらに備える、請求項２０に記載の方法。
【請求項２３】
スライスヘッダ中で参照レイヤ識別を示すシンタックス要素をシグナリングすることをさらに備え、ここにおいて、前記参照レイヤ識別が、前記現在のピクチャを符号化するために使用されるべき前記多くとも１つの参照レイヤピクチャを示す、請求項２０に記載の方法。
【請求項２４】
ピクチャパラメータセット（ＰＰＳ）中で参照レイヤ識別を示すシンタックス要素をシグナリングすることをさらに備え、ここにおいて、前記参照レイヤ識別が、前記現在のピクチャを符号化するために使用されるべき前記多くとも１つの参照レイヤピクチャを示す、請求項２０に記載の方法。
【請求項２５】
スライスの前記現在のピクチャの前記参照レイヤピクチャを示すフラグをシグナリングすることをさらに備える、請求項２０に記載の方法。
【請求項２６】
直接依存フラグに関連付けられるシンタックス要素に制限を与えることをさらに備え、ここにおいて、前記直接依存フラグが、参照レイヤピクチャが前記エンハンスメントレイヤの参照ピクチャであるかどうかを示す、請求項２０に記載の方法。
【請求項２７】
前記現在のピクチャを符号化することは、前記現在のピクチャのレイヤＩＤに最も近いレイヤＩＤを有する前記参照レイヤピクチャのみを用いることを備える、請求項２０に記載の方法。
【請求項２８】
ビデオ情報をコーディングするための装置であって、
多くとも１つの参照レイヤピクチャを使用してエンハンスメントレイヤ中の現在のピクチャを予測することによって、参照レイヤピクチャの使用を、前記現在のピクチャとは異なる空間解像度を有する多くとも１つの参照レイヤピクチャに制限するための手段
を備える、装置。
【請求項２９】
前記現在のピクチャを予測するために、多くとも１つのリサンプリングプロセスだけが実行されることを許可するための手段をさらに備える、請求項２８に記載の装置。
【請求項３０】
スライスヘッダ中で参照レイヤ識別を示すシンタックス要素をシグナリングするための手段をさらに備え、ここにおいて、前記参照レイヤ識別が、前記現在のピクチャを予測するために使用されるべき前記多くとも１つの参照レイヤピクチャを示す、請求項２８に記載の装置。
【請求項３１】
コンピューティングハードウェアを備えるプロセッサ上で実行されたとき、前記プロセッサに、
多くとも１つの参照レイヤピクチャを使用してエンハンスメントレイヤ中の現在のピクチャを予測することによって、参照レイヤピクチャの使用を、前記現在のピクチャとは異なる空間解像度を有する多くとも１つの参照レイヤピクチャに制限すること
を行わせる特定の命令を備える、非一時的コンピュータ可読媒体。
【請求項３２】
前記命令が、前記プロセッサに、前記現在のピクチャを予測するために、多くとも１つのリサンプリングプロセスだけが実行されることを許可することをさらに行わせる、請求項３１に記載の非一時的コンピュータ可読媒体。
【請求項３３】
前記命令が、前記プロセッサに、スライスヘッダ中で参照レイヤ識別を示すシンタックス要素をシグナリングすることをさらに行わせ、ここにおいて、前記参照レイヤ識別が、前記現在のピクチャを予測するために使用されるべき前記多くとも１つの参照レイヤピクチャを示す、請求項３１に記載の非一時的コンピュータ可読媒体。